(57)【要約】【課題】作業者が蓋体の開閉動作を片手で操作することができるとともに、故障し難くてコストが嵩まないパレット用ステーを提供する。【解決手段】ステー９は、第１フレーム９１、第２フレーム９２及び回動フレーム９５からなる。第２フレーム９２のガイド孔９３は、第１フレーム９１のピン９１ａを案内する。ガイド孔９３は、上下に延びる第１ガイド部９３ａと、第１ガイド部９３ａの上端部分に連続する第２ガイド部９３ｂ及び第３ガイド部９３ｃとを備える。第２フレーム９２には、回動フレーム９５の先端側が第１ガイド部９３ａの上端部分から第２ガイド部９３ｂの上半部分に亘って重なる位置で、且つ、回動フレーム９５がその先端と第３ガイド部９３ｃの下端縁部との間をピン９１ａが通過可能な姿勢となるような位置で回動フレーム９５の下方への回動を規制する規制プレート９６が設けられる。【選択図】図５
2018039548.tif 000002
【特許請求の範囲】
【請求項１】
上面が開口する直方体形状をなすパレット本体、及び、該パレット本体の後側の上面開口周縁に軸支され、且つ、回動動作により上記パレット本体の上面開口を上記パレット本体の前側から開閉させる蓋体を備えたパレットにおいて、上記パレット本体の上面開口が開くように上記蓋体を上方に回動させた状態で保持するパレット用ステーであって、
一端にピンが設けられ、且つ、他端が上記蓋体に当該蓋体の回動軸心と同方向に延びる回動軸心周りに回動可能に軸支された第１フレームと、
上記パレット本体に取り付けられ、上記ピンを案内するガイド孔を有する第２フレームと、
先端側が上記パレット本体の前側を向く姿勢で基端側が上記第２フレームに上記蓋体の回動軸心と同方向に延びる回動軸心周りに回動可能に軸支された回動フレームとを備え、
上記ガイド孔は、上下に延びる第１ガイド部と、該第１ガイド部の上端から上記パレット本体の後側に向かって斜め下方に延びる第２ガイド部と、上記第１ガイド部の上端から上記パレット本体の前側に向かって斜め上方に延びる第３ガイド部とを備え、
上記第２フレームには、上記回動フレームの先端側が上記第１ガイド部の上端部分から上記第２ガイド部の上半部分に亘って重なる位置で、且つ、上記回動フレームがその先端と上記第３ガイド部の下端縁部との間を上記ピンが通過可能な姿勢となるような位置で上記回動フレームの下方への回動を規制する回動規制部が設けられ、
上記回動フレームは、上記第１ガイド部が上記ピンを上方に案内するか、或いは、上記第２ガイド部が上記ピンを上記第３ガイド部にまで案内する際、上記ピンに下方から押圧されて上方に回動するよう構成されていることを特徴とするパレット用ステー。
【請求項２】
請求項１に記載のパレット用ステーにおいて、
上記第３ガイド部の下端縁部における上記第１ガイド部との連続部分は、上記第２ガイド部の下端縁部における上記第１ガイド部との連続部分よりも下方に位置していることを特徴とするパレット用ステー。
【発明の詳細な説明】
【技術分野】
【０００１】
本発明は、荷物を収容するパレットにおいて、開閉する蓋体を開いた状態で保持するパレット用ステーに関する。
【背景技術】
【０００２】
従来より、物流過程では、荷役作業を行い易くするために荷物を収容するパレットが用いられる。例えば、特許文献１に開示されているパレットは、上面が開口する直方体形状のパレット本体と、該パレット本体の後側の上面開口周縁に軸支され、且つ、回動動作により上記パレット本体の上面開口を上記パレット本体の前側から開閉させる蓋体とを備え、上記パレット本体の収容空間における中央には、当該収容空間を水平方向に２つに区切る矩形枠状の仕切フレームが設けられている。該仕切フレームの上方には、作業者が上記蓋体を開く際、開いた状態の蓋体を保持可能なステーが設けられている。該ステーは、ラチェット機構を備え、当該ラチェット機構により開いた状態の蓋体を保持する一方、上記蓋体を開く方向に所定の量だけ回動させると、上記ラチェット機構による保持が解除されるようになっていて、作業者は、ステーに触れることなく片手で蓋体の開閉動作を操作できるようになっている。
【先行技術文献】
【特許文献】
【０００３】
【特許文献１】特開２００６−３１５７３６号公報
【発明の概要】
【発明が解決しようとする課題】
【０００４】
しかし、特許文献１のように、ステーによる蓋体の保持をラチェット機構により行うと、ステーの構造が複雑になって故障し易くなるおそれがあるとともに、部品点数が増えてコストが嵩んでしまう。
【０００５】
本発明は、斯かる点に鑑みてなされたものであり、その目的とするところは、作業者が蓋体の開閉動作を片手で操作することができるとともに、故障し難くてコストが嵩まないパレット用ステーを提供することにある。
【課題を解決するための手段】
【０００６】
上記の目的を達成するために、本発明は、少ない部品数からなる構造で作業者が蓋体の開閉動作を片手で操作可能となるよう工夫を凝らしたことを特徴とする。
【０００７】
具体的には、上面が開口する直方体形状をなすパレット本体、及び、該パレット本体の後側の上面開口周縁に軸支され、且つ、回動動作により上記パレット本体の上面開口を上記パレット本体の前側から開閉させる蓋体を備えたパレットにおいて、上記パレット本体の上面開口が開くように上記蓋体を上方に回動させた状態で保持するパレット用ステーを対象とし、次のような解決手段を講じた。
【０００８】
すなわち、第１の発明では、一端にピンが設けられ、且つ、他端が上記蓋体に当該蓋体の回動軸心と同方向に延びる回動軸心周りに回動可能に軸支された第１フレームと、上記パレット本体に取り付けられ、上記ピンを案内するガイド孔を有する第２フレームと、先端側が上記パレット本体の前側を向く姿勢で基端側が上記第２フレームに上記蓋体の回動軸心と同方向に延びる回動軸心周りに回動可能に軸支された回動フレームとを備え、上記ガイド孔は、上下に延びる第１ガイド部と、該第１ガイド部の上端から上記パレット本体の後側に向かって斜め下方に延びる第２ガイド部と、上記第１ガイド部の上端から上記パレット本体の前側に向かって斜め上方に延びる第３ガイド部とを備え、上記第２フレームには、上記回動フレームの先端側が上記第１ガイド部の上端部分から上記第２ガイド部の上半部分に亘って重なる位置で、且つ、上記回動フレームがその先端と上記第３ガイド部の下端縁部との間を上記ピンが通過可能な姿勢となるような位置で上記回動フレームの下方への回動を規制する回動規制部が設けられ、上記回動フレームは、上記第１ガイド部が上記ピンを上方に案内するか、或いは、上記第２ガイド部が上記ピンを上記第３ガイド部にまで案内する際、上記ピンに下方から押圧されて上方に回動するよう構成されていることを特徴とする。
【０００９】
第２の発明では、第１の発明において、上記第３ガイド部の下端縁部における上記第１ガイド部との連続部分は、上記第２ガイド部の下端縁部における上記第１ガイド部との連続部分よりも下方に位置していることを特徴とする。
【発明の効果】
【００１０】
第１の発明では、パレット本体の上面開口を開く際、作業者が蓋体を上方に回動させると、ピンが第１ガイド部を上方に移動して回動フレームの先端側を下方から上方に押す。ピンによって上方に押された回動フレームは基準位置から上方に回動するので、第１ガイド部と第２ガイド部との連続部分をピンが通過可能になり、ピンは第２ガイド部に入り込む。このとき、作業者が蓋体から手を離すと、蓋体が自重で下方に回動することにより、ピンが第２ガイド部の下端縁部に密着して第１フレームによって蓋体が開いた状態で保持されるとともに、回動フレームが下方に回動して回動規制部によって基準位置に戻る。一方、パレット本体２の上面開口を閉じる際、作業者が第１フレームによって保持されて開いた状態の蓋体をさらに上方に回動させると、ピンが第２ガイド部の上半部分に移動して回動フレームを下方から上方に押す。ピンによって上方に押された回動フレームは基準位置から上方に回動するので、第２ガイド部と第３ガイド部との連続部分をピンが通過可能になり、ピンは第２ガイド部の上端縁部に摺接しながら第３ガイド部に向かって移動して第３ガイド部に入り込むとともに回動フレームが下方に回動して回動規制部によって基準位置に戻る。ピンが第３ガイド部に入り込んだ後、作業者が蓋体を下方に回動させ始めると、ピンが第３ガイド部を下方に移動して第３ガイド部の下端縁部に接触するとともに当該第３ガイド部の下端縁部に摺接しながら第１ガイド部に向かって移動する。このとき、回動フレームは、規制プレートによって基準位置より下方に回動しないので、回動フレームの先端側で第２ガイド部と第３ガイド部との連続部分が塞がっており、ピンが第２ガイド部から第３ガイド部に移動しない。したがって、ピンは、回動フレームの先端と第３ガイド部の下端縁部との間を通過して第１ガイド部に到達し、第１ガイド部を下方に移動して蓋体がパレット本体の上面開口を閉じる。このように、作業者がステーに触れずに蓋体を上下に回動させるだけで蓋体がステーに保持される状態と保持されない状態とに切り替わるので、作業者は、蓋体の開閉動作を片手で行うことができる。また、ステーの構成がシンプルであるので、ステーが故障し難くなるとともに特許文献１の如きラチェット機構を備えたステーに比べてコストを低く抑えることができる。
【００１１】
第２の発明では、蓋体でパレット本体の上面開口を閉じる際、ピンが第３ガイド部の下端縁部に摺接しながら第１ガイド部に向かって移動して当該第１ガイド部に到達すると、第１ガイド部の第２ガイド部との連続部分に必ず接触するようになる。したがって、ピンが不意に第３ガイド部から第２ガイド部に移動してしまうといったことを確実に防いで蓋体を確実に下方へ回動させることができる。
【図面の簡単な説明】
【００１２】
【図１】本発明の実施形態に係るパレットの斜視図である。
【図２】蓋体がパレット本体の上面開口を閉じているときのステーの正面図である。
【図３】図２の後、蓋体を上方に回動させてパレット本体の上面開口を開いている途中の状態を示す図である。
【図４】図３の後、ステーが蓋体を保持した直後の状態を示す図である。
【図５】図４の後、蓋体をさらに上方に回動させている途中の状態を示す図である。
【図６】図５の後、蓋体を下方に回動させてパレット本体の上面開口を閉じている途中の状態を示す図である。
【発明を実施するための形態】
【００１３】
以下、本発明の実施形態を図面に基づいて詳細に説明する。尚、以下の好ましい実施形態の説明は、本質的に例示に過ぎない。
【００１４】
図１は、本発明の実施形態に係るパレット１を示す。該パレット１は、例えば、トラックの荷台に荷役作業を行う際に使用するものであり、前面及び上面が開口する収容空間２ａを有する直方体形状のパレット本体２を備えている。
【００１５】
該パレット本体２は、当該パレット本体２の四隅に位置する４つの支柱３と、平面視で略長方形板状をなし、四隅が上記各支柱３の下端寄りの位置にそれぞれ繋がるベースプレート４と、該ベースプレート４の各短辺部分に位置する両支柱３の上端部分を橋絡する一対の上部フレーム５と、該各上部フレーム５の中途部から下方に向かって真っ直ぐに延びて上記ベースプレート４に繋がる中間フレーム６と、上記ベースプレート４の後側の長辺部分の両支柱３を橋絡する略長方形板状をなす後部プレート７とを備え、上記各支柱３の下端には、矩形板状の脚プレート３ａが取り付けられている。
【００１６】
上記パレット本体２の上方には、略長方形板状をなす蓋体８が設けられ、該蓋体８は、上記パレット本体２の上面開口が開閉可能となるように上記パレット本体２の後側の長辺部分に位置する両支柱３の上部に軸支されている。
【００１７】
すなわち、上記蓋体８は、上記パレット本体２の後側の上面開口周縁に軸支されていて、回動動作により上記パレット本体２の上面開口を上記パレット本体２の前側から開閉させるようになっている。
【００１８】
上記蓋体８は、上記パレット本体２上面の開口部分に対応する矩形枠状の外周フレーム８１と、該外周フレーム８１の内方に設けられ、十字状に延びる内側フレーム８２と、上記外周フレーム８１及び上記内側フレーム８２の全域を覆うカバー材８３とを備えている。
【００１９】
上記蓋体８と上記パレット本体２との間には、図２乃至図６に示すように、上記パレット本体２の上面が開口するように上記蓋体８を上方に回動させた状態で保持するパレット用ステー９が設けられている。
【００２０】
該ステー９は、一端にピン９１ａが設けられた細長い板状をなす第１フレーム９１を備え、該第１フレーム９１の他端は、上記蓋体８の一方の短辺部分の中途部に当該蓋体８の回動軸心と同方向に延びる回動軸心周りに回動可能に軸支されている（図１参照）。
【００２１】
また、上記ステー９は、上下に延びる板状の第２フレーム９２を備え、該第２フレーム９２は、上記パレット本体２における一方の中間フレーム６の中途部に取り付けられている。
【００２２】
上記第２フレーム９２は、上下に延びる板状のフレーム本体９４を備え、該フレーム本体９４の上部には、パレット本体２の後側に張り出す張出部９４ａが形成されている。
【００２３】
上記フレーム本体９４には、上下に延びるスリット状のガイド孔９３が形成され、該ガイド孔９３は、上記第１フレーム９１のピン９１ａを案内するようになっている。
【００２４】
上記ガイド孔９３は、上下に細長く延びる第１ガイド部９３ａと、該第１ガイド部９３ａの上端から上記パレット本体２の後側に向かって斜め下方に延びる第２ガイド部９３ｂと、上記第１ガイド部９３ａの上端から上記パレット本体２の前側に向かって斜め上方に延びる第３ガイド部９３ｃとを備え、該第３ガイド部９３ｃの下端縁部における上記第１ガイド部９３ａとの連続部分は、上記第２ガイド部９３ｂの下端縁部における上記第１ガイド部９３ａとの連続部分よりも下方に位置している。
【００２５】
上記ガイド孔９３の上部には、先端側が上記パレット本体２の前側を向く姿勢をなす板状の回動フレーム９５が設けられ、該回動フレーム９５の基端側が上記フレーム本体９４における上記第２ガイド部９３ｂの上側に上記蓋体８の回動軸心と同方向に延びる回動軸心周りに回動可能に軸支されている。
【００２６】
上記回動フレーム９５は、側面視で上記パレット本体２の前側に行くにつれて次第に上下の幅が狭くなる略三角形状をなしていて、その下端縁部には、緩やかに湾曲する湾曲凹部９５ａが形成されている。
【００２７】
上記張出部９４ａの外周縁部には、側面視でＬ字状をなす規制プレート９６（回動規制部）が上記収容空間２ａの反対側に飛び出すように設けられ、該規制プレート９６は、上記回動フレーム９５の基端側に接触して上記回動フレーム９５の下方への回動を規制することにより、上記回動フレーム９５を基準位置Ｐ１に位置させるようになっている。
【００２８】
上記回動フレーム９５は、基準位置Ｐ１に位置すると、上記回動フレーム９５の先端側が上記第１ガイド部９３ａの上端部分から上記第２ガイド部９３ｂの上半部分に亘って重なるとともに、上記回動フレーム９５の先端と上記第３ガイド部９３ｃの下端縁部との間を上記ピン９１ａが通過可能な姿勢となるようになっている。
【００２９】
すなわち、ピン９１ａの径をＤ１、規制プレート９６によって回動が規制されている回動フレーム９５の先端と第３ガイド部９３ｃの下端縁部との間の距離Ｄ２との関係は、Ｄ２≧Ｄ１となっている。
【００３０】
そして、パレット本体２の上面開口を開く際、作業者が蓋体８を持って上方（Ｚ１方向）に回動させると、図２に示すように、第１ガイド部９３ａがピン９１ａを上方（Ｘ１方向）に案内するようになっている。
【００３１】
作業者がさらに蓋体８を上方に回動させると、図３に示すように、回動フレーム９５の先端側がピン９１ａに下方から押圧されて基準位置Ｐ１から上方（Ｙ１方向）に回動するようになっている。すると、第１ガイド部９３ａと第２ガイド部９３ｂとの連続部分をピン９１ａが通過可能になり、ピン９１ａは、Ｘ２方向に移動して第２ガイド部９３ｂに入り込む。このとき、作業者が蓋体８から手を離すと、図４に示すように、蓋体８が自重で下方に回動することにより、ピン９１ａが第２ガイド部９３ｂの下端縁部に密着して第１フレーム９１によって蓋体８が開いた状態で保持されるとともに、回動フレーム９５が下方に回動して規制プレート９６によって基準位置Ｐ１に戻るようになっている。
【００３２】
一方、パレット本体２の上面開口を閉じる際、作業者が第１フレーム９１に保持されて開いた状態の蓋体８をさらに上方（Ｚ２方向）に回動させると、ピン９１ａが第２ガイド部９３ｂの上半部分に移動して回動フレーム９５を下方から上方に押すようになっている。そして、図５に示すように、ピン９１ａに下方から押圧された回動フレーム９５の先端側が基準位置Ｐ１から上方（Ｙ１方向）に回動すると、第２ガイド部９３ｂと第３ガイド部９３ｃとの連続部分をピン９１ａが通過可能になり、ピン９１ａは、第２ガイド部９３ｂの上端縁部に摺接しながらＸ３方向に向かって移動して第３ガイド部９３ｃに入り込むとともに回動フレーム９５が下方に回動して規制プレート９６によって基準位置Ｐ１に戻るようになっている。この後、作業者が蓋体８を下方（Ｚ３方向）に回動させ始めると、図６に示すように、ピン９１ａが第３ガイド部９３ｃを下方（Ｘ４方向）に移動して第３ガイド部９３ｃの下端縁部に接触するとともに当該第３ガイド部９３ｃの下端縁部に摺接しながら第１ガイド部９３ａに向かって移動するようになっている。このとき、回動フレーム９５は、規制プレート９６によって基準位置Ｐ１より下方に回動しないので、回動フレーム９５の先端側で第２ガイド部９３ｂと第３ガイド部９３ｃとの連続部分が塞がっており、ピン９１ａが第２ガイド部９３ｂから第３ガイド部９３ｃには移動しないようになっている。したがって、ピン９１ａは、回動フレーム９５の先端と第３ガイド部９３ｃの下端縁部との間を通過して第１ガイド部９３ａに到達し、第１ガイド部９３ａを下方に移動して蓋体８がパレット本体２の上面開口を閉じるようになっている。
【００３３】
このように、作業者がステー９に触れずに蓋体８を上下に回動させるだけで蓋体８がステー９に保持される状態と保持されない状態とに切り替わるので、作業者は、蓋体８の開閉動作を片手で行うことができる。
【００３４】
また、ステー９の構成がシンプルであるので、ステー９が故障し難くなるとともに特許文献１の如きラチェット機構を備えたステーに比べてコストを低く抑えることができる。
【００３５】
さらに、第３ガイド部９３ｃの下端縁部における第１ガイド部９３ａとの連続部分は、第２ガイド部９３ｂの下端縁部における第１ガイド部９３ａとの連続部分よりも下方に位置しているので、蓋体８でパレット本体２の上面開口を閉じる際、ピン９１ａが第３ガイド部９３ｃの下端縁部に摺接しながら第１ガイド部９３ａに向かって移動して当該第１ガイド部９３ａに到達すると、第１ガイド部９３ａの第２ガイド部９３ｂとの連続部分に必ず接触するようになる。したがって、ピン９１ａが不意に第３ガイド部９３ｃから第２ガイド部９３ｂに移動してしまうといったことを確実に防いで蓋体８を確実に下方へ回動させることができる。
【産業上の利用可能性】
【００３６】
本発明は、荷物を収容するパレットにおいて、開閉する蓋体を開いた状態で保持するパレット用ステーに適している。
【符号の説明】
【００３７】
１        パレット
２        パレット本体
８        蓋体
９        ステー
９１        第１フレーム
９１ａ        ピン
９２        第２フレーム
９３        ガイド孔
９３ａ        第１ガイド部
９３ｂ        第２ガイド部
９３ｃ        第３ガイド部
９５        回動フレーム
９６        規制プレート（回動規制部）
【図１】
2018039548.tif 000003
【図２】
2018039548.tif 000004
【図３】
2018039548.tif 000005
【図４】
2018039548.tif 000006
【図５】
2018039548.tif 000007
【図６】
2018039548.tif 000008